(57)【要約】【課題】データの受信率を改善するための受信データの補正方法及びその受信モデム回路を提供する。【解決手段】受信データ補正方法は、受信器の特性による受信特性オフセットを第１、２状態データ別に測定する。受信特性オフセットの測定後に、第１、２状態データに対応する第１、２データサンプルタイムオフセットがそれぞれ決定される。決定された第１、２データサンプルタイムオフセットは受信器を通じて印加される受信データを補正するときに適用される。【選択図】      図１
2011176797.tif 000002
【特許請求の範囲】
【請求項１】
受信器の特性による受信特性オフセットを第１、２状態データ別に測定する段階と、
前記第１、２状態データに対応する第１、２データサンプルタイムオフセットをそれぞれ独立的に決める段階と、
受信データが前記第１状態データである場合には、前記第１データサンプルタイムオフセットを適用して前記受信データを補正し、前記受信データが第２状態データである場合には、前記第２データサンプルタイムオフセットを適用して前記受信データを補正する段階を有することを特徴とする受信データ補正方法。
【請求項２】
前記第１データサンプルタイムオフセットの決定値は、前記第２データサンプルタイムオフセットの決定値より大きいことを特徴とする請求項１に記載の受信データ補正方法。
【請求項３】
前記第１データサンプルタイムオフセットの決定値は、前記第２データサンプルタイムオフセットの決定値より小さいことを特徴とする請求項１に記載の受信データ補正方法。
【請求項４】
前記第１、２データサンプルタイムオフセットの決定値は、プログラム可能なように変更可能であることを特徴とする請求項１に記載の受信データ補正方法。
【請求項５】
前記受信器はＮＡＦＣ用の受信モデム回路に利用されて動作することを特徴とする請求項１に記載の受信データ補正方法。
【請求項６】
前記第１、２データサンプルタイムオフセットは、前記受信器内に備えられたカード受信部の入力オフセットの大きさによって決定されることを特徴とする請求項１に記載の受信データ補正方法。
【請求項７】
前記第１、２データサンプルタイムオフセットは、前記受信器内に備えられたリーダ受信部の入力オフセットの大きさによって決定されることを特徴とする請求項１に記載の受信データ補正方法。
【請求項８】
受信モデム回路に於いて、
比較器から出力された受信データを処理するカード受信部とアナログ対デジタル変換器から出力された受信データを処理するリーダ受信部を含む受信器と、
前記受信器の受信特性による受信特性オフセットを第１、２状態データ別に測定し、前記第１、２状態データに対応する第１、２データサンプルタイムオフセットをそれぞれ独立的に貯蔵するパラメータ貯蔵部と、
前記受信データが前記第１状態データとして印加される場合には、前記第１データサンプルタイムオフセットを適用して前記受信データを補正し、前記受信データが前記第２状態データとして印加される場合には、前記第２データサンプルタイムオフセットを適用して前記受信データを補正する制御処理部を備えることを特徴とする受信モデム回路。
【請求項９】
前記カード受信部は、前記受信データに対するビット数を測定するためのビット測定部を備えることを特徴とする請求項８に記載の受信モデム回路。
【請求項１０】
前記リーダ受信部は、前記受信データに対するビット数を測定するためのビット測定部を備えることを特徴とする請求項８に記載の受信モデム回路。
【発明の詳細な説明】
【技術分野】
【０００１】
本発明は無線データ通信に係り、さらに詳しくは、データの受信率を改善するための受信データの補正方法及びその受信モデム回路に関する。
【背景技術】
【０００２】
一般に、カードとリーダとの間には、ＮＦＣ（Ｎｅａｒ  Ｆｉｅｌｄ  Ｃｏｍｍｕｉｃａｔｉｏｎ）が行なわれる。斯かるカードは非接触式の電子決済のために、例えば、携帯電話のようなマルチメディア機器に内蔵される。
【０００３】
ＮＦＣのプロトコルは様々である。ＮＦＣプロトコルは基本的にＩＳＯ１４４４３ＴＹＰＥＡ及びＴＹＰＥＢのリーダと、ＴＹＰＥＡ及びＴＹＰＥＢのカードを支援する。また、ＮＦＣプロトコルはＩＳＯ１８０９２のイニシエータとターゲットを支援し、ＩＳＯ１５６９３のリーダを支援する。
【０００４】
様々なＮＦＣプロトコルのもとで、伝送データはそれぞれ決められたコーディング方式でソースコーディングされた後に伝送チャンネルを通じて伝送され、リーダやカードの受信器は様々な種類の伝送信号を受信データとして受信する。例えば、ＩＳＯ１４４４３ＴＹＰＥＡのカードの場合、ミラーコーディング信号が受信データとして受信される。また、ＴＹＰＥＡのリーダの場合、マンチェスタ・コーディング又はＢＳＰＫコーディングが行なわれた後サブキャリア周波数からサブキャリア負荷変調された信号が受信される。また、ＴＹＰＥＢのカードの場合、ＮＲＺコーディング信号が受信され、ＴＹＰＥＢのリーダの場合、ＢＰＳＫコーディングされた後サブキャリア周波数からサブキャリア負荷変調された信号が受信される。そして、ＩＳＯ１８０９２のイニシエータとターゲットの場合、マンチェスタ・コーディング信号が受信データとして受信され、ＩＳＯ１５６９３のリーダの場合、ミラーコーディングされた後サブキャリア周波数からサブキャリア負荷変調された信号が受信される。受信データの通信速度は２６ｋｂｐｓ乃至８４７ｋｂｐｓの分布範囲を有する。
【０００５】
ＮＦＣのマルチプロトコルを支援するリーダやカードが高い受信性能を有するためにはデータ受信エラー率が低下しなければならない。しかし、受信側からの受信特性によって受信データのハイ又はローレベルの区間が変化するのでデータ受信エラーが頻繁に発生する。
従って、受信モデム回路のデータ受信エラーを減少又は最小化して受信性能を高める技術が要求されている。
【先行技術文献】
【特許文献】
【０００６】
【特許文献１】韓国特許出願公開第１０−２００８−００２２５９０号公報
【発明の概要】
【発明が解決しようとする課題】
【０００７】
本発明が解決しようとする技術的課題は、受信モデム回路のデータ受信エラーを減少又は最小化する方法を提供することである。
本発明が解決しようとする異なる技術的課題は、データの受信率を改善するための受信データの補正方法及びその受信モデム回路を提供することである。
【０００８】
本発明が解決しようとするまた異なる技術的課題は、受信器の特性による受信特性オフセットを第１、２状態データ別に測定して受信データを補正することができる受信データの補正方法及びその受信モデム回路を提供することである。
本発明が解決しようとするまた異なる技術的課題は、マルチＮＦＣプロトコルを支援する受信装置の受信動作パフォーマンスを改善することができる方法及び受信モデム回路を提供することである。
【課題を解決するための手段】
【０００９】
上記技術的課題を解決するために、本発明の一実施形態による受信データ補正方法は、受信器の特性による受信特性オフセットを第１、２状態データ別に測定する段階と；
第１、２状態データに対応する第１、２データサンプルタイムオフセットをそれぞれ独立的に決める段階と；
受信データが第１状態データである場合には、第１データサンプルタイムオフセットを適用して受信データを補正し、受信データが第２状態データである場合には、第２データサンプルタイムオフセットを適用して受信データを補正する段階とを含む。
【００１０】
本発明の実施形態において、第１データサンプルタイムオフセットの決定値は第２データサンプルタイムオフセットの決定値より大きいか小さく、プログラム可能なように変更できる。
本発明の実施形態において、受信器は、ＮＡＦＣ用の受信モデム回路に利用されて動作し、第１、２データサンプルタイムオフセットは、受信器内に備えるカード受信部やリーダ受信部の入力オフセットの大きさによって決定される。
【００１１】
本発明の異なる実施形態による受信モデム回路は、
比較器から出力された受信データを処理するカード受信部とアナログ対デジタル変換器から出力された受信データを処理するリーダ受信部とを含む受信器と；
受信器の受信特性による受信特性オフセットを第１、２状態データ別に測定し、第１、２状態データに対応する第１、２データサンプルタイムオフセットをそれぞれ独立的に貯蔵するパラメータ貯蔵部と；
受信データが第１状態データとして印加される場合には、第１データサンプルタイムオフセットを適用して受信データを補正し、受信データが第２状態データとして印加される場合には、第２データサンプルタイムオフセットを適用して受信データを補正する制御処理部とを備える。
【００１２】
本発明の実施形態において、カード受信部やリーダ受信部は受信データに対するビット数を測定するためのビット測定部をそれぞれ具備し、第１、２データサンプルタイムオフセットの決定値はプログラム可能なように初期にセッティングされる。
本発明の実施形態において、第１データサンプルタイムオフセットの決定値は、第２データサンプルタイムオフセットの決定値以上である。
【００１３】
本発明の実施形態において、第１データサンプルタイムオフセットの決定値は、第２データサンプルタイムオフセットの決定値以下である。
本発明の実施形態において、第１、２データサンプルタイムオフセットはカード受信部とリーダ受信部の入力オフセットの大きさによって互いに独立的に決められる。
本発明のまた異なる実施形態によると、受信データ補正方法は、
【００１４】
受信器の特性による受信特性オフセットを第１、２状態データ別に測定した後、第１、２状態データに対応する第１、２データサンプルタイムオフセットをそれぞれ独立的にセッティングする段階と；
印加される受信データに対して第１、２状態データ別に第１、２データサンプルタイムオフセットを適用して受信データを補正する段階とを含む。
【００１５】
本発明の実施形態において、受信データが第１状態データである場合の補正は、受信データのビット数にＸ（Ｘは２以上の自然数）ビットを加算して行なわれる。
本発明の実施形態において、受信データが第２状態データである場合の補正は、受信データのビット数を加減しなくてそのままカウントして行なわれる。
本発明の実施形態において、受信データが第２状態データである場合の補正は、受信データのビット数にＸ（Ｘは２以上の自然数）ビットを加算して行なわれる。
【００１６】
本発明の実施形態において、受信データが第１状態データである場合の補正は、受信データのビット数を加減しなくてそのままカウントして行なわれる。
本発明の実施形態において、第１、２データサンプルタイムオフセットのセッティングは受信器のテストの際に予め行なわれて貯蔵される。
【発明の効果】
【００１７】
本発明の実施形態又は装置の構成によると、受信データを補正する際に受信器別に第１、２データサンプルタイムオフセットを区別して適用するので、データ受信エラー率が低くなってデータ受信性能が改善される。
【図面の簡単な説明】
【００１８】
【図１】本発明の実施形態による受信モデム回路のブロック図。
【図２】図１の回路に受信される信号波形の例示図。
【図３】図１の回路から同じオフセットの適用の際、カード受信データの受信エラーの発生例を示すタイミング図。
【図４】図１の回路から同じオフセットの適用の際、リーダ受信データの受信エラーの発生例を示すタイミング図。
【図５】図１の回路から差動入力オフセットの適用の際、カード受信データの受信エラーの減少例を示すタイミング図。
【図６】図１の回路から差動入力オフセットの適用の際、リーダ受信データの受信エラーの減少例を示すタイミング図。
【図７】図１の回路により実行される受信データの補正に対する制御を示すフローチャート。
【図８】図１を搭載したＮＦＣが可能であるマルチメディア機器の装置ブロック図。
【発明を実施するための形態】
【００１９】
上述した本発明の目的、異なる目的、特徴及び長所等は添付された図面と、下記の好ましい実施形態を通じて容易に理解できるだろう。しかし、本発明はここで説明している実施形態に限定されず、異なる形態で具体化することができる。むしろ、ここで紹介されている実施形態は、理解の便宜を提供し、開示された内容がより徹底かつ完全になるように、そして、当業者に本発明の思想を十分に伝えるためのものである。
【００２０】
本明細書において、ある素子又はライン等が該素子ブロックに連結されるものと言及された場合、これは直接連結だけではなくある異なる素子を通じて該素子ブロックに間接連結される意味も含む。
また、各図面から提示される同一又は類似な参照符号は同一又は類似な構成要素を示す。一部図面における、素子及びライン等の連結関係は技術内容の効果的な説明のためのものであり、他の素子又は回路ブロック等がさらに備えられても良い。
【００２１】
ここで説明され、例示される各実施形態は、それの相補的な実施形態も含む。
先ず、図１は本発明の実施形態による受信モデム回路のブロック図である。
図面を参照すると、受信モデム回路は、様々なＮＦＣプロトコルを受信するためにＴＹＰＥＡアナログ部１１０とＴＹＰＥＢアナログ部１２０とを含む第１アナログ処理部１００、Ｉチャンネルアナログ部１６０とＱチャンネルアナログ部１７０とを含む第２アナログ処理部１５０、第１、２、３デジタル回路部２１０、２２０、２３０と制御処理部及び貯蔵部２５０とを含むデジタル処理部２００を有する。
【００２２】
第１アナログ処理部１００はバッテリオフモードでも動作することができるアナログ信号処理部であり、第２アナログ処理部１５０はバッテリオンモードで動作することができるアナログ信号処理部である。例えば、Ｉチャンネルアナログ部１６０はミキサー１６１、フィルタ１６２、オートゲインコントロール部（ＡＧＣ）１６３、アナログ対デジタルコンバータ（ＡＤＣ）１６４及び比較器（ＣＯＭ）１６５からなる。
【００２３】
第１デジタル回路部２１０は判定部２１１、サンプラー２１２、２１３、ビット測定部２１４、スタートサーチャ２１５、及びオートサーチャ２１６を含む。第２デジタル回路部２２０は１６又は８タップフィルタ２２１、２２２、ピークディテクタ２２３、ビット測定部２２４、スタートサーチャ２２５、及びオートサーチャ２２６を含む。第３デジタル回路部２３０は１６又は８タップフィルタ２３１、２３２、ピークディテクタ２３３、ビット測定部２３４、スタートサーチャ２３５、及びオートサーチャ２３６を含む。第１デジタル回路部２１０は比較器１６５から出力された受信データを処理するカード受信部として機能し、第２、３デジタル回路部２２０、２３０はアナログ対デジタルコンバータ（ＡＤＣ）１６４、１７４から出力された受信データを処理するリーダ受信部として機能する。
【００２４】
スタートサーチャ２１５、２２５、２３５は一般モードである場合に、イネーブルされてプロトコルに合うスタートパターンを探す機能を担う。オートサーチャ２１６、２２６、２３６はオートモードである場合に、イネーブルされてオートパターンを探す機能を担う。
制御処理部及び貯蔵部２５０はデータを貯蔵するための貯蔵領域を有し、ビット測定部を制御し、受信データをデコードし、予め設定されたプログラムによって設定されたプロトコルによるモデム動作を全般的に制御する。
【００２５】
図２は図１の回路に受信される信号波形の例示図である。図２を参照すると、ＴＹＰＥＢカードの場合の、図１のアンテナに受信される信号波形が示されている。図面において、横軸は時間を示し、縦軸は信号の振幅を示す。受信される信号波形に応じて、アンテナのマッチングと通信距離によってライジングスロープとフォーリンスロープが変化し、信号の振幅も変化する。しかし、図１の比較器１６５のバイアスレベルは一定に固定されている。従って、比較器１６５から出力されるデータはハイ又はローレベルの区間から変化して、図３の３Ｃ波形のタイム区間Ｔ１０、Ｔ１２から分かるように受信エラーが発生する。
【００２６】
図３は図１の回路から同じオフセットを適用の際、カード受信データの受信エラーの発生例を示すタイミング図である。ＴＹＰＥＢカードの場合に、図３の３Ａ波形のタイム区間Ｔ２のようなハイ及びロー論理を有する受信データＲＸ＿ＤＡＴＡがエラー無しに正常に受信される場合には、図３の３Ｂ波形のようにハイ又はローレベルの区間内で遷移は生じない。しかし、アンテナのマッチングと通信距離によってライジングスロープとフォーリンスロープとが変化し、信号の振幅も変化する場合には、３Ｃ波形のタイム区間Ｔ１０、Ｔ１２から示すようにレベル遷移が存在して、受信エラーが発生する。
【００２７】
同様に、ＴＹＰＥＢリーダの場合にも図４の４Ｃ波形のように受信エラーが発生する。具体的に、図１のＡＤＣ１６４に印加されるノードＮＤ２の受信データが入力レベルで飽和される場合に、同様にハイ又はローレベルの区間が変わる。従って、斯かる場合にも、データ受信エラーが発生する。
【００２８】
図４は図１の回路から同じオフセットの適用の際、リーダ受信データの受信エラーの発生例を示すタイミング図である。ＴＹＰＥＢリーダの場合、図４の４Ａ波形の一部タイム区間のようなハイ及びロー論理を有する受信データＲＸ＿ＤＡＴＡがエラー無しに正常に受信される場合には、図１のＡＤＣ１６４のノードＮＤ２には図４の４Ｂ波形のように入力レベル領域ＰＡ１内でハイ又はローを有する受信データが供給される。しかし、受信特性によって歪曲される場合には、４Ｃ波形のように入力レベル領域ＰＡ２を外れて遷移される受信データが存在するので受信エラーが発生する。
【００２９】
従って、本発明の実施形態は、図３の３Ｃ波形の受信エラーの問題を解決するために図５の５Ｇ波形のように受信データに対する補正を行なう。具体的に、受信データが第１状態データ（例えば、ロー）である場合には、第１データサンプルタイムオフセット（Ｘ＝８）が対応する受信データのビット数に加算される。受信データが第２状態データ（例えば、ハイ）である場合には、第２データサンプルタイムオフセット（Ｙ＝０）が対応する受信データのビット数に加算される。ここで、第１、２データサンプルタイムオフセットＸ、Ｙの決定値は、受信モデム回路毎に受信特性がそれぞれ異なるのでそれぞれ異なるように設定される。
【００３０】
受信モデム回路の初期セッティングの際に、第１、２データサンプルタイムオフセットＸ、Ｙの決定値が一応貯蔵され、一定時間が経た後特定の時点からまた受信特性が測定される場合に、第１、２データサンプルタイムオフセットＸ、Ｙの決定値は更新される。このように、本発明の実施形態においては、受信モデム回路のローデータ受信特性が相対的にハイデータ受信特性に比べて悪いと、ローレベルとして受信される受信データに対しては、例えば、元の受信データビット数に８ビット（第１データサンプルタイムオフセットの例に対応）を加える補正を行なう。一方、ハイレベルとして受信される受信データに対しては、例えば、元の受信データビット数に０ビット（第２データサンプルタイムオフセットの例に対応）を加える補正を行なう。従って、データ受信エラー率が減少して受信性能が改善される。
【００３１】
第１、２データサンプルタイムオフセットＸ、Ｙの値を決定するために、図１の回路を通じて受信器の特性による受信特性オフセットを第１、２状態データ別に測定する動作が受信モデム回路の初期セッティングの際に行なわれる。このテスト動作が行なわれた後、制御処理部及び貯蔵部２５０はビット測定部２１４、２２４、２３４を制御して補正された受信データを得る。受信データが第１状態データである場合に、ビット測定部２１４、２２４、２３４では受信データのカウント値に第１データサンプルタイムオフセットの決定値が加算された出力値が示される。受信データが第２状態データである場合に、ビット測定部２１４、２２４、２３４では受信データのカウント値に第２データサンプルタイムオフセットの決定値が加算された出力値が示される。ここで、ビット測定部２１４がイネーブル状態にある場合、ビット測定部２２４、２３４はディスエーブル状態になる。
【００３２】
また、ビット測定部２２４、２３４がイネーブル状態に転換されるとビット測定部２１４がディスエーブル状態になる。
また、本発明の実施形態においては、図４の４Ｃ波形の受信エラーの問題を解決するために図６の６Ｇ波形のように受信データに対する補正を行なう。具体的に、受信データが入力領域ＰＡ１１を外れて入力され、第１状態データ（例えば、ロー）である場合には、第１データサンプルタイムオフセット（Ｘ＝８）が対応する受信データのビット数に加算される。
【００３３】
受信データが第２状態データ（例えば、ハイ）である場合には、第２データサンプルタイムオフセット（Ｙ＝０）が対応する受信データのビット数に加算される。６Ｇのタイム区間Ｔ６０で受信されるデータは第１状態データ（例えば、ロー）であるので、これはタイム区間Ｔ６１で第１データサンプルタイムオフセット（Ｘ＝８）値と合わせられて２０＋８＝２８に補正される。また、６Ｇのタイム区間Ｔ６１で受信されるデータは第２状態データ（例えば、ハイ）であるので、これはタイム区間Ｔ６２で第２データサンプルタイムオフセット（Ｙ＝０）値と合わせられて１２＋０＝１２に補正される。このように、受信データに対する補正は受信データが受信された後、次の区間で行なわれる。
同様に、第１、２データサンプルタイムオフセットＸ、Ｙの決定値は受信モデム回路毎に受信特性がそれぞれ異なるのでそれぞれ異なるように設定される。
【００３４】
本発明の実施形態においては、受信モデム回路のローデータ受信特性が相対的にハイデータ受信特性に比べて悪い場合に、ローレベルとして受信される受信データに対しては、例えば、元の受信データビット数に８ビット（第１データサンプルタイムオフセットの例に対応）を加算する補正が行なわれるが、受信モデム回路のハイデータ受信特性が相対的にローデータ受信特性に比べて悪い場合には、ハイレベルとして受信される受信データに対して８ビットが加算される。
【００３５】
図５は図１の回路から差動入力オフセットの適用の際、カード受信データの受信エラーの減少例を示すタイミング図であり、図６は図１の回路から作動入力オフセットの適用の際、リーダ受信データの受信エラーの減少例を示すタイミング図である。
【００３６】
図５において、５Ａ波形のタイム区間Ｔ２のようなハイ及びロー論理を有する受信データＲＸ＿ＤＡＴＡがエラー無しに正常に受信される場合には、図５の５Ｂ波形のようにハイ又はローレベルの区間内で遷移は生じない。しかし、アンテナのマッチングと通信距離によってライジングスロープとフォーリンスロープが変化し、信号の振幅も変化する場合には、５Ｅ波形のタイム区間Ｔ５０、Ｔ５２から分かる様にレベル遷移が存在する。このような場合、５Ｃ波形のようなクロックを使用して５Ｄ波形のようなカウント出力を得ると、データビットに対する受信エラーが発生する。
【００３７】
即ち、５Ｄ波形の場合には、第１、２データサンプルタイムオフセットＸ、Ｙの決定値が同じく４に設定され、ハイ又はローデータに同じく４が加えられる。ここで、受信データのビット値の判定の際に下位３ビット或いは２ビットは無視する。例えば、受信データから８をカウントしてサンプルタイムオフセット４を加えると１２になるが、これは二進数“１１００”に表現される。ここで、下位３ビット“１００”を捨てると結局最終判定データとして“１”が残る。結局、５Ｄ波形のようなカウント出力は、受信モデム回路のデータ受信特性が考慮されていない状態で得られたものであるので、受信エラー率が高くて受信性能が落ちる。
【００３８】
しかし、ハイ又はローデータ別に作動入力オフセットを反映した５Ｇ波形のようなカウント出力を補正された受信データとして得ると、受信エラー率が相対的に低くなって受信パフォーマンスが改善される。
【００３９】
図６において、６Ａ波形のタイム区間Ｔ５のようなハイ及びロー論理を有する受信データＲＸ＿ＤＡＴＡが入力レベル領域ＰＡ１０内でエラー無しに正常に受信される場合には、図６Ｂ波形のようになる。しかし、図１のＡＤＣ１６４に印加されるノードＮＤ２の受信データが入力レベルで飽和される場合には、６Ｅ波形から示すように入力レベル領域ＰＡ１１を外れる遷移が存在する。このような場合、５Ｃ波形のようなクロックを使用して６Ｄ波形のようなカウント出力を得ると、受信エラーが発生する。
【００４０】
即ち、６Ｄ波形の場合には、第１、２データサンプルタイムオフセットＸ、Ｙの決定値が同じく４に設定され、ハイ又はローデータに同じく４が加えられる。結局、６Ｄ波形のようなカウント出力は、受信モデム回路のデータ受信特性が考慮されていない状態で得られたものであるので高い受信性能を期待するのは難しい。しかし、既記のようにハイ又はローデータ別に作動入力オフセットを反映した６Ｇ波形のようなカウント出力を補正された受信データとして得ると、受信エラー率が相対的に低くなって受信モデム回路の受信パフォーマンスが改善される。
【００４１】
図７は図１の回路により実行される受信データの補正に対する制御を示すフローチャートである。図７の制御フローは図１の制御処理部及び貯蔵部２５０がビット測定部２１４、２２４、２３４を制御することによって行なわれる。
図７の制御フローは、図１のような受信器の受信特性による受信特性オフセットを第１、２状態データ別に測定し、第１、２データサンプルタイムオフセットを貯蔵した後に実行される。このために、制御処理部及び貯蔵部２５０は第１、２状態データに対応する第１、２データサンプルタイムオフセットをそれぞれ独立的に貯蔵するパラメータ貯蔵部として機能を担う。
【００４２】
図７のＳ７０段階で、受信データが第２状態データであるか否かを判定する。即ち、図５の５Ｅ波形のタイム区間Ｔ５１のようにハイからローに遷移するネガティブエッジが検出されたり、図６の６Ｅ波形のタイム区間Ｔ６１のようにゼロクロスが検出されると、受信データは第２状態データ、例えば、論理ハイデータとして判定される。従って、Ｓ７０段階で、受信データが第２状態データに判定されると、Ｓ７１段階が実行される。Ｓ７１段階は、受信データのサンプルカウントＳＣ値とＨ（ハイ）オフセットを加える補正段階である。
【００４３】
図５及び図６の場合、第２データサンプルタイムオフセットの決定値Ｙは０であるので、実際には受信データのサンプルカウント値がそのまま出力されるのと同じである。Ｓ７５段階は、出力されるビット数とビット値を判定する段階である。ここで、１サンプルカウント区間から出力されるビット数が４ビットである場合に、下位３ビットは捨てられる。また、出力されるビット数が３ビットである場合に、下位２ビットは捨てられる。結局、最終的に受信データ数と状態値を得るために下位ビットが捨てられるが、これはオーバーサンプリングされた数をシフトすることによって実現できる。
【００４４】
一方、Ｓ７０段階で、受信データが第２状態データではないと、Ｓ７２段階が実行される。即ち、図５の５Ｅ波形のタイム区間Ｔ５０のようにローからハイに遷移するポジティブエッジが検出されたり、図６の６Ｅ波形のタイム区間Ｔ６０のようにゼロクロスが検出されると、受信データは第１状態データ、例えば、論理ローデータに判定される。従って、Ｓ７２段階で、受信データが第１状態データに判定されると、Ｓ７４段階が実行される。Ｓ７４段階は、受信データのサンプルカウントＳＣ値とＬ（ロー）オフセットを加える補正段階である。
【００４５】
図５及び図６の場合に、第１データサンプルタイムオフセットの決定値Ｘは８であるので、受信データのサンプルカウント値に８が加算されて出力される。Ｓ７４段階が終了すると、Ｓ７５段階を通じて出力されるビット数とビット値が決定される。
このように、受信データが第１状態データとして印加される場合には、第１データサンプルタイムオフセットを適用して受信データを補正し、受信データが第２状態データとして印加される場合には、第２データサンプルタイムオフセットを適用して受信データを補正すれば、データ受信エラー率が低くなる。
【００４６】
図８は図１を搭載したＮＦＣが可能であるマルチメディア機器の装置ブロック図である。図面を参照すると、例えば携帯電話のようなマルチメディア機器はＲＦ通信部１１０、図１のデジタル処理部２００を含むモデム２２０、予め設定されたアルゴリズムによってマルチメディア機能の制御に関連されたメインプログラムを実行する制御部３００、プログラム及び種々のデータを貯蔵するメモリ３１０、ＳＷＰ４００、及びＵＳＩＭ５００を含む。
【００４７】
ＳＷＰ４００（Ｓｉｎｇｌｅ  Ｗｉｒｅ  Ｐｒｏｔｏｃｏｌ）はＵＳＩＭ５００（Ｕｎｉｖｅｒｓａｌ  Ｓｕｂｓｃｒｉｂｅｒ  Ｉｄｅｎｔｉｔｙ  Ｍｏｄｕｌｅ）がマルチメディア機器に搭載された場合、ＵＳＩＭ５００の加入者情報を制御部３００に伝送するインターフェーシングを担う。
【００４８】
モデム２２０は図１のデジタル処理部２００のようなハードウェアブロックを有するので、受信器と、パラメータ貯蔵部と、制御処理部とを内部回路ブロックとして含む。ここで、受信器は比較器から出力された受信データを処理するカード受信部とアナログ対デジタル変換器から出力された受信データを処理するリーダ受信部とを含む。パラメータ貯蔵部は、受信器の受信特性による受信特性オフセットを第１、２状態データ別に測定し、第１、２状態データに対応する第１、２データサンプルタイムオフセットをそれぞれ独立的に貯蔵する。制御処理部は、図７のような制御を行なうために、受信データが第１状態データとして印加される場合には、第１データサンプルタイムオフセットを適用して受信データを補正し、受信データが第２状態データとして印加される場合には、第２データサンプルタイムオフセットを適用して受信データを補正する。
【００４９】
従って、受信器別にそれぞれ異なる第１、２データサンプルタイムオフセットを適用するので、図８のマルチメディア機器は高いデータの受信率を有する。
上述したように、本発明の実施形態によると、受信データを補正する際に、受信器別に区別して第１、２データサンプルタイムオフセットを適用するので、データ受信エラー率が低くなってデータ受信性能が改善される。
【００５０】
本発明の実施形態では、ＮＦＣ受信器に関して主に説明しているが、これに限定されず、異なる通信システムにも本発明の実施形態を拡張して適用することができるだろう。
また、本発明の技術的思想の範囲内で本発明を様々に変形又は変更することができるのは本発明が属する分野の当業者には明らかである。例えば、本発明の技術的思想を外れないで、データサンプルタイムオフセットを受信オーバーサンプリングされるデータのビット数によって可変的に適用したり、受信器の機能ブロック配置及び細部構成を様々に変形又は変更できるだろう。
【符号の説明】
【００５１】
１００  第１アナログ処理部
１１０  ＲＦ通信部
１５０  第２アナログ処理部
２００  デジタル処理部
２１４、２２４、２３４  ビット測定部
３００  制御部
３１０  メモリ
【図１】
2011176797.tif 000003
【図２】
2011176797.tif 000004
【図３】
2011176797.tif 000005
【図４】
2011176797.tif 000006
【図５】
2011176797.tif 000007
【図６】
2011176797.tif 000008
【図７】
2011176797.tif 000009
【図８】
2011176797.tif 000010